(57)【要約】【課題】ゲート線またはゲート線駆動回路の異常や故障を検出可能な表示装置を提供することにある。【解決手段】表示装置は、表示部と、前記表示部を囲む周辺領域と、を有する。前記表示部において、第１方向に延在し、複数のＴＦＴに接続された複数のゲート線と、前記周辺領域に設けられ、前記複数のゲート線の一方の端部に接続されたゲート線駆動回路と、前記周辺領域に設けられ、前記複数のゲート線の他方の端部に接続された入力を有するＯＲ回路と、前記周辺領域に設けられ、前記ＯＲ回路の出力が接続されるカウンタと、を含む。【選択図】図１
2019128536.tif 000002
【特許請求の範囲】
【請求項１】
表示部と、
前記表示部を囲む周辺領域と、
前記表示部において、第１方向に延在し、複数のＴＦＴに接続された複数のゲート線と、
前記周辺領域に設けられ、前記複数のゲート線の一方の端部に接続されたゲート線駆動回路と、
前記周辺領域に設けられ、前記複数のゲート線の他方の端部に接続された入力を有するＯＲ回路と、
前記周辺領域に設けられ、前記ＯＲ回路の出力が接続されるカウンタと、を含む、
表示装置。
【請求項２】
請求項１の表示装置において、
比較回路を、含み、
前記比較回路は、前記カウンタのカウント回数が所定回数か比較し、前記カウント回数が前記所定回数以外の時は異常検出信号を出力する、表示装置。
【請求項３】
請求項１または請求項２の表示装置において、
前記ＯＲ回路は、オープンドレインのワイヤードＯＲ回路を含む、表示装置。
【請求項４】
請求項３の表示装置において、
周期測定回路と、異常位置判定回路と、をさらに含み、
前記異常位置判定回路は、前記カウンタのカウント回数と、前記周期測定回路の判定値に基づいて、異常のあったゲート線の位置を判断する、表示装置。
【請求項５】
請求項１乃至４のいずれか１項の表示装置において、
前記ゲート線駆動回路は、前記表示部を挟む様に、前記表示部の両側の前記周辺領域に配置される、表示装置。
【請求項６】
請求項２の表示装置において、
前記異常検出信号の出力の後、前記表示装置の電源が遮断される、表示装置。
【請求項７】
請求項６の表示装置において、
前記表示装置の電源が遮断された後、所定時間の後、前記表示装置の電源が復帰される、表示装置。
【請求項８】
請求項７の表示装置において、
前記異常検出信号の出力が所定回数に達した場合、電源の常時遮断、警告灯の表示、故障情報の格納のすくなくとも１つの処理を行う、表示装置。
【請求項９】
請求項１の表示装置において、
前記ゲート線駆動回路は、複数のグループに分けられ、
前記ＯＲ回路および前記カウンタは、前記複数のグループ毎に設けられて、異常判定を行う、表示装置。
【発明の詳細な説明】
【技術分野】
【０００１】
本発明は表示装置に関し、特に、異常検出機能を備える表示装置に適用可能である。
【背景技術】
【０００２】
車載用に利用される電子部品は、ＡＳＩＬ（Ａｕｔｏｍｏｔｉｖｅ Ｓａｆｅｔｙ Ｉｎｔｅｇｒｉｔｙ Ｌｅｖｅｌ：安全性要求レベル）に対応することが求められている。ここで、ＡＳＩＬとは、各車載電子システムで起こり得るさまざまな障害（ハザード）を避けるのに達成しなければならない安全性のレベルを、Ａ〜Ｄの４段階で表現したものである。車載用の液晶表示装置においても、ＡＳＩＬ対応の液晶表示装置や表示モジュールが求められる。
【０００３】
特開平２−１２４５３０号公報は、液晶パネルの表示領域の外の領域に、表示用の画素と異なるモニタ用画素を設ける技術を開示する。
【先行技術文献】
【特許文献】
【０００４】
【特許文献１】特開平２−１２４５３０号公報
【発明の概要】
【発明が解決しようとする課題】
【０００５】
ＡＳＩＬ対応の表示装置や表示モジュールでは、表示装置の回路的な異常や故障を検出できることが必要である。
【０００６】
本発明の目的は、ゲート線またはゲート線駆動回路の異常や故障を検出可能な表示装置を提供することにある。
【０００７】
その他の課題と新規な特徴は、本明細書の記述および添付図面から明らかになるであろう。
【課題を解決するための手段】
【０００８】
本発明のうち代表的なものの概要を簡単に説明すれば下記の通りである。
【０００９】
すなわち、表示装置は、表示部と、前記表示部を囲む周辺領域と、を有する。前記表示部において、第１方向に延在し、複数のＴＦＴに接続された複数のゲート線と、前記周辺領域に設けられ、前記複数のゲート線の一方の端部に接続されたゲート線駆動回路と、前記周辺領域に設けられ、前記複数のゲート線の他方の端部に接続された入力を有するＯＲ回路と、前記周辺領域に設けられ、前記ＯＲ回路の出力が接続されるカウンタと、を含む。
【図面の簡単な説明】
【００１０】
【図１】実施の形態に係る表示装置の概略の構成を示す図である。
【図２】実施の形態に係る表示装置の構成を概略的に示す斜視図である。
【図３】実施の形態に係る表示装置の要部の構成の一例を示す図である。
【図４】実施の形態に係る表示装置の要部の構成の他の一例を示す図である。
【図５】図４の表示装置の通常時の動作を示すタイミング図である。
【図６】図４の表示装置の異常時の動作を示すタイミング図である。
【図７】実施の形態に係る表示システムの構成を概略的に示す図である。
【図８】図７の表示システムにおける判断フローを示す図である。
【図９】実施の形態に係る表示装置の要部の構成のさらに他の一例を示す図である。
【図１０】図９の表示装置の通常時の動作を示すタイミング図である。
【図１１】図９の表示装置の異常時の動作を示すタイミング図である。
【図１２】実施の形態に係る表示装置の他の構成例を説明する図である。
【図１３】図１２の表示装置の通常時の動作を示すタイミング図である。
【図１４】図１２の表示装置の異常時の動作を示すタイミング図である。
【図１５】実施の形態に係る表示装置のさらに他の構成例を説明する図である。
【発明を実施するための形態】
【００１１】
以下に、本発明の各実施の形態について、図面を参照しつつ説明する。
【００１２】
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１３】
また、本明細書と各図において、既出の図に関して前述したものと同様の要素には、同一の符号を付して、詳細な説明を適宜省略することがある。
【００１４】
本実施形態においては、表示装置の一例として、液晶表示装置を開示する。この液晶表示装置は、車載装置に向けられているが、例えば、スマートフォン、タブレット端末、携帯電話端末、パーソナルコンピュータ、テレビ受像装置、ゲーム機器等の種々の装置に用いることもできる。なお、本実施形態にて開示する主要な構成は、有機エレクトロルミネッセンス表示素子等を有する自発光型の表示装置、電気泳動素子等を有する電子ペーパ型の表示装置、ＭＥＭＳ（Micro Electro Mechanical Systems）を応用した表示装置、或いはエレクトロクロミズムを応用した表示装置などにも適用可能である。
【００１５】
図１は、実施の形態の表示装置ＤＳＰの概略の構成を示す図である。なお、実施の形態において、表示装置は液晶表示装置である。
【００１６】
表示装置ＤＳＰは、表示パネルＰＮＬと、表示パネルＰＮＬを背面側から照明するバックライトＢＬＴと、を備えている。そして表示パネルＰＮＬには、マトリクス状に配置された表示画素ＰＸを含む表示部（表示領域）ＤＡが設けられている。
【００１７】
図１に示すように、表示部ＤＡにおいては、複数の表示画素ＰＸが配列する行に沿って延びるゲート線Ｇ（Ｇ１、Ｇ２、・・・、ＧＮ−１、ＧＮ）と、複数の表示画素ＰＸが配列する列に沿って延びるソース線Ｓ（Ｓ１、Ｓ２、・・・、Ｓｎ）と、ゲート線(走査線)Ｇとソース線(信号線)Ｓが交差する位置近傍に配置された画素スイッチＳＷとが備えられている。複数の表示画素ＰＸの各々は画素電極ＰＥと共通電極ＣＯＭＥを有し、対向する画素電極ＰＥと共通電極ＣＯＭＥの間に液晶層を有する。複数の行方向（Ｙ）に延在された複数の共通電極ＣＯＭＥは列方向（Ｘ）に配置される。尚、複数の列方向（Ｘ）に延在された複数の共通電極ＣＯＭＥを行方向（Ｙ）に配置する構成としてもよい。
【００１８】
画素スイッチＳＷは薄膜トランジスタ（ＴＦＴ：Ｔｈｉｎ  Ｆｉｌｍ  Ｔｒａｎｓｉｓｔｏｒ）を備えている。画素スイッチＳＷのゲート電極は対応するゲート線Ｇと電気的に接続されている。画素スイッチＳＷのソース電極は対応するソース線Ｓと電気的に接続されている。画素スイッチＳＷのドレイン電極は対応する画素電極ＰＥと電気的に接続されている。
【００１９】
また、複数の表示画素ＰＸを駆動する駆動手段として、ゲートドライバ（ゲート線駆動回路）ＧＤ、ソースドライバ（ソース線駆動回路）ＳＤ、共通電極駆動回路ＣＤとが設けられている。
【００２０】
複数のゲート線Ｇのおのおのの一方の端部Ｅ１はゲートドライバＧＤの出力部と電気的に接続されている。複数のゲート線Ｇのおのおのの他方の端部Ｅ２は、後述されるＯＲ回路ＯＲの複数の入力にそれぞれ接続される。なお、図１には、代表として、ゲート線Ｇ１の一方の端部Ｅ１と、ゲート線Ｇ１の他方の端部Ｅ２が示される。
【００２１】
複数のソース線ＳのおのおのはソースドライバＳＤの出力部と電気的に接続されている。共通電極ＣＯＭＥは共通電極駆動回路ＣＤの出力部と電気的に接続されている。図１においては、ソースドライバＳＤと共通電極駆動回路ＣＤとが、駆動回路ＤＣ内に設けられるように描かれている。ゲートドライバＧＤとソースドライバＳＤと共通電極駆動回路ＣＤとは、表示部ＤＡの周囲の周辺領域（額縁領域）ＮＤＡあるいは表示パネルＰＮＬに接続されたフレキシブル基板上に配置される。ゲートドライバＧＤは複数のゲート線Ｇにオン電圧を順次印加して、選択されたゲート線Ｇに電気的に接続された画素スイッチＳＷのゲート電極にオン電圧を供給する。ゲート電極にオン電圧が供給された画素スイッチＳＷの、ソース電極−ドレイン電極間が導通する。ソースドライバＳＤは、複数のソース線Ｓのそれぞれに対応する出力信号を供給する。ソース線Ｓに供給された信号は、ソース電極−ドレイン電極間が導通した画素スイッチＳＷを介して対応する画素電極ＰＥに供給される。
【００２２】
また、複数のゲート線Ｇの断線やゲートドライバＧＤの故障・機能不全などの正常でない異常な状態や不具合を検出する検出手段として、ＯＲ回路ＯＲと検出部ＦＤＵとが設けられている。ＯＲ回路ＯＲは、表示部ＤＡの周囲の周辺領域ＮＤＡに配置される。検出部ＦＤＵは、表示部ＤＡの周囲の周辺領域ＮＤＡあるいは表示パネルＰＮＬに接続されたフレキシブル基板上に配置される。ＯＲ回路ＯＲの複数の入力のおのおのは、複数のゲート線Ｇのおのおのの他方の端部Ｅ２に接続されている。つまり、この例では、ゲートドライバＧＤとＯＲ回路ＯＲとは、表示パネルＰＮＬにおいて、表示部ＤＡを挟む様に、対向した位置に配置される。ＯＲ回路ＯＲの出力は、検出部ＦＤＵ内に設けられたカウンタ回路ＣＯＵの入力に接続されている。ＯＲ回路ＯＲは、複数のゲート線Ｇのオン電圧からオフ電圧への遷移や変化、または、オフ電圧からオン電圧のへの遷移や変化をカウンタ回路ＣＯＵの入力へ伝達する。カウンタ回路ＣＯＵは、遷移や変化の回数をカウントする。検出部ＦＤＵは、カウンタ回路ＣＯＵによりカウントされた回数が、複数のゲート線Ｇの本数と一致するか否かにを監視する。カウント回数が複数のゲート線Ｇの本数と一致する場合、正常であると判断する。一方、カウント回数が複数のゲート線Ｇの本数と一致しない場合は、異常である判断する。異常と判断した場合、検出部ＦＤＵは異常を検出したことを示す出力信号ＯＵＴを、制御回路ＣＴＲへ出力する。
【００２３】
ゲートドライバＧＤとソースドライバＳＤと共通電極駆動回路ＣＤは、表示パネルＰＮＬの外部あるいは内部に配置された制御回路ＣＴＲにより動作を制御される。また、制御回路ＣＴＲは、バックライトＢＬＴの動作を制御する。制御回路ＣＴＲは、また、検出部ＦＤＵからの出力信号ＯＵＴに従って、表示装置ＤＳＰの動作を制御する。
【００２４】
図２は、実施の形態に係る表示装置ＤＳＰの構成を概略的に示す斜視図である。
【００２５】
表示装置ＤＳＰは、アクティブマトリックス型の液晶表示パネルＰＮＬ、バックライトＢＬＴ、液晶表示パネルＰＮＬを駆動する駆動ＩＣチップＩＣ、制御モジュールＣＭ、フレキシブル配線基板ＦＰＣなどを備えている。液晶表示パネルＰＮＬは、アレイ基板（第１基板）ＡＲと、アレイ基板ＡＲに対向配置された対向基板（第２基板）ＣＴと、を備えている。液晶表示パネルＰＮＬは、画像を表示する表示領域ＤＡ、及び、表示領域ＤＡを囲む額縁状の非表示領域ＮＤＡを備えている。液晶表示パネルＰＮＬは、表示領域ＤＡにおいてマトリクス状に配列された複数の表示画素（あるいは単位表示画素）ＰＸを備えている。駆動ＩＣチップＩＣは、アレイ基板ＡＲに実装されている。フレキシブル配線基板ＦＰＣは、液晶表示パネルＰＮＬと制御モジュールＣＭとを接続している。制御モジュールＣＭは、他のフレキシブル配線基板（不図示）によって、バックライトＢＬＴと接続される。
【００２６】
駆動ＩＣチップＩＣは、ＩＣ２として点線で示される様に、フレキシブル配線基板ＦＰＣの上に配置されても良い。駆動ＩＣチップＩＣは、表示ドライバＩＣと見做すことが可能であり、制御モジュールＣＭはタイミング制御装置ＴＣＯＮと見做すことが可能である。図１の制御回路ＣＴＲは、表示ドライバＩＣまたはタイミング制御装置ＴＣＯＮと見做すことが可能である。図１の検出部ＦＤＵは、駆動ＩＣチップＩＣの内部、または、制御モジュールＣＭの内部に設けることも可能である。また、制御モジュールＣＭをホストとされ、タイミング制御装置ＴＣＯＮと図１の制御回路ＣＴＲは表示ドライバＩＣに内蔵することも可能である。また、制御モジュールＣＭをホストとされ、少なくともタイミング制御装置ＴＣＯＮと図１の制御回路ＣＴＲのいずれかは表示ドライバＩＣとは別体とすることも可能である。
【００２７】
図３は、実施の形態に係る表示装置ＤＳＰの要部の構成の一例を示す図である。なお、図３には、複数の表示画素ＰＸ、複数のソース線やソースドライバＳＤ等は、図面の簡素のため、描かれていない。
【００２８】
図１で説明された様に、複数のゲート線Ｇ（Ｇ１、Ｇ２、Ｇ３、・・・、ＧＮ）のおのおのの一方の端部Ｅ１はゲートドライバＧＤの出力部と電気的に接続されている。複数のゲート線Ｇ（Ｇ１、Ｇ２、Ｇ３、・・・、ＧＮ）のおのおのの他方の端部Ｅ２は、ＯＲ回路ＯＲの複数の入力にそれぞれ接続される。尚、図３およびその他の図面において回路上の論理がＮＯＲの場合もここでは広義のＯＲ回路と表現する。図３には、代表として、ゲート線Ｇ１の一方の端部Ｅ１とゲート線Ｇ１の他方の端部Ｅ２とのみが描かれているが、他のゲート線Ｇ２−ＧＮも同様に、一方の端部Ｅ１と他方の端部Ｅ２とを有する。
【００２９】
ＯＲ回路ＯＲは、複数のＮチャネル型ＭＯＳトランジスタＭＴ１−ＭＴｎを含み、複数のＮチャネル型ＭＯＳトランジスタＭＴ１−ＭＴｎの複数のゲート電極のおのおのは、対応するゲート線Ｇ（Ｇ１−ＧＮ）にそれぞれ接続される。複数のＮチャネル型ＭＯＳトランジスタＭＴ１−ＭＴｎの複数のゲート電極は、ＯＲ回路ＯＲの入力と見做すことが出来る。複数のＮチャネル型ＭＯＳトランジスタＭＴ１−ＭＴｎのドレインは、配線Ｌ１に接続される。配線Ｌ１は、抵抗素子Ｒ１を介して、電源電位である第１参照電位ＶＤＤに接続される。複数のＮチャネル型ＭＯＳトランジスタＭＴ１−ＭＴｎのソースのおのおのは、接地電位である第２参照電位ＶＳＳに接続される。つまり、複数のＮチャネル型ＭＯＳトランジスタＭＴ１−ＭＴｎは、オープンドレイン型のワイヤードＯＲ回路を構成している。配線Ｌ１はＯＲ回路ＯＲの出力Ａとされ、ＯＲ回路ＯＲの出力Ａは検出部ＦＤＵの第１カウンタ回路ＣＯＵ１の入力に接続される。
【００３０】
複数のゲート線Ｇ（Ｇ１、Ｇ２、Ｇ３、・・・、ＧＮ）が順次走査される場合、複数のゲート線Ｇの内の１つゲート線がロウレベルの様な非選択レベルからハイレベルの様な選択レベルへと遷移し、その後、選択レベルから非選択レベルへ遷移する。例えば、ゲート線Ｇ１が走査された場合を説明する。ゲート線Ｇ１がロウレベルの様な非選択レベルからハイレベルの様な選択レベルへ遷移すると、ゲート線Ｇ１に接続されたＮチャネル型ＭＯＳトランジスタＭＴ１がオン状態となるので、配線Ｌ１の電位は、ＶＤＤの様なハイレベルからＶＳＳの様なロウレベルへ変化する。したがって、ＯＲ回路ＯＲの出力Ａはロウレベルになる。次に、ゲート線Ｇ１が選択レベルからロウレベルの様な非選択レベルへ遷移すると、ゲート線Ｇ１に接続されたＮチャネル型ＭＯＳトランジスタＭＴ１がオフ状態となるので、配線Ｌ１の電位は、ＶＳＳの様なロウレベルからＶＤＤの様なハイレベルへ変化する。したがって、ＯＲ回路ＯＲの出力Ａはハイレベルになる。つまり、複数のゲート線Ｇの断線やゲートドライバＧＤの故障・機能不全などの無い正常な状態において、ＯＲ回路ＯＲの出力Ａは、１本のゲート線が選択レベル／非選択レベルとされると、それにともなって、ロウレベル／ハイレベルと変化する。この変化の回数は、走査されるゲート線の本数に対応することになる。一方、複数のゲート線Ｇの断線やゲートドライバＧＤの故障・機能不全などのある正常でない異常な状態において、複数のゲート線Ｇのうちの１また複数のゲート線は選択レベルとされない事となるので、ＯＲ回路ＯＲの出力Ａのロウレベル／ハイレベルの変化の回数は、複数のゲート線Ｇの本数より、少なくなる。尚、複数のゲート線を順次駆動するときワイヤードＯＲ回路の出力に接続されている配線Ｌ１の電位が連続してロウレベル（Ｌ）とならないように、１つのゲート線を駆動しているときはＯＲ回路に接続されている残りの全てのゲート線の電位はロウレベルのような非選択レベルとし、１つのゲート線のレベルが非選択レベル→選択レベル→非選択レベルと推移した後に次に駆動するゲート線のレベルを選択レベルに推移させる。
【００３１】
検出部ＦＤＵは、ＯＲ回路ＯＲの出力Ａとフレーム同期信号ＦＬＭとが入力された第１カウンタ回路ＣＯＵ１と、第１カウンタ回路ＣＯＵ１のカウント出力Ｃを入力される第１比較回路ＣＯＭＰ１と、を含む。
【００３２】
第１カウンタ回路ＣＯＵ１は、フレーム同期信号ＦＬＭのロウレベルからハイレベルへの遷移に応答して、そのカウント値Ｃがゼロへリセットされ、複数のゲート線Ｇ１−ＧＮのおのおののオン電圧からオフ電圧への遷移の回数をカウントすることとなる。すなわち、第１カウンタ回路ＣＯＵ１は、ゲート線が選択レベル（ハイレベル）から非選択レベル（ロウレベル）へ遷移する遷移回数を計数することになる。尚、第１カウンタ回路ＣＯＵ１は、ゲート線が非選択レベル（ロウレベル）から選択レベル（ハイレベル）へ遷移する遷移回数を計数するようにしてもよい。
【００３３】
第１比較回路ＣＯＭＰ１は、第１カウンタ回路ＣＯＵ１のカウント値Ｃと複数のゲート線Ｇ１−ＧＮの本数Ｎとを比較する監視回路である。ゲート線の本数（Ｎ）は、例えば、駆動ＩＣチップＩＣ（表示ドライバＩＣ）の内部に設けられた表示ライン数設定レジスタＬＮＲＥＧに設定された表示ラインの値（Ｎ）を、第１比較回路ＣＯＭＰ１に入力することにより、得ることが可能である。第１比較回路ＣＯＭＰ１は、カウンタ回路ＣＯＵ１によりカウントされた回数（Ｃ）が、複数のゲート線Ｇの本数（Ｎ）と一致するか否かにを監視する。カウント回数Ｃが複数のゲート線Ｇの本数（Ｎ）と一致する場合、正常と判断する。一方、カウント回数が複数のゲート線Ｇの本数（Ｎ）と一致しない場合、異常と判断する。異常と判断した場合、検出部ＦＤＵは異常を検出したことを示す出力信号ＯＵＴを出力する。
【００３４】
例えば、複数のゲート線Ｇ１−ＧＮが５００本の場合を考えると、１フレームの表示期間において、複数のゲート線Ｇ１−ＧＮのおのおのは１回ハイレベルにされ、その後、ロウレベルにされる。したがって、複数のゲート線Ｇ１−ＧＮに断線が無く、ゲートドライバＧＤに故障・機能不全などの無い正常な場合、第１カウンタ回路ＣＯＵ１のカウント値Ｃは、５００となる。第１比較回路ＣＯＭＰ１は、複数のゲート線Ｇの本数（Ｎ＝５００）と第１カウンタ回路ＣＯＵ１のカウント値（Ｃ＝５００）とを比較する。この場合、両者が一致するので、正常と判断する。
【００３５】
一方、複数のゲート線Ｇ１−ＧＮ内の１本または複数本に断線が存在する場合、あるいは、ゲートドライバＧＤに故障・機能不全が存在するような正常でない異常な状態の場合、第１カウンタ回路ＣＯＵ１のカウント値Ｃは、５００よりも少ない数値（＜５００）となる。第１比較回路ＣＯＭＰ１は、複数のゲート線Ｇの本数（Ｎ＝５００）と第１カウンタ回路ＣＯＵ１のカウント値（Ｃ＜５００）とを比較する。この場合、両者は一致しないので、異常と判断し、検出部ＦＤＵは異常を検出したことを示す出力信号ＯＵＴを出力する。
【００３６】
これにより、複数のゲート線Ｇの断線やゲートドライバＧＤの故障・機能不全などの正常でない異常な状態や不具合を検出することが可能となる。
【００３７】
図４は、実施の形態に係る表示装置ＤＳＰの要部の構成の他の一例を示す図である。図４に示されるＯＲ回路ＯＲａにおいて、複数のゲート線Ｇ（Ｇ１、Ｇ２、Ｇ３、・・・、ＧＮ）の内の奇数番目のゲート線Ｇ１、Ｇ３、Ｇ５、・・・、ＧＮ−１は、複数のＮチャネル型ＭＯＳトランジスタＭＴ１−ＭＴｎのうちの奇数番目のＮチャネル型ＭＯＳトランジスタＭＴ１、ＭＴ３、ＭＴ５、・・・、ＭＴｎ−１のゲートに、それぞれ接続される。奇数番目のＮチャネル型ＭＯＳトランジスタＭＴ１、ＭＴ３、ＭＴ５、・・・、ＭＴｎ−１のドレインは配線Ｌ１１に接続される。配線Ｌ１１は抵抗素子Ｒ１を介して電源電位ＶＤＤに接続されて、第１のワイヤードＯＲ回路ＯＲ１（または、第１ＯＲ回路ＯＲ１）の出力Ａを構成している。また、複数のゲート線Ｇ（Ｇ１、Ｇ２、Ｇ３、・・・、ＧＮ）の内の偶数番目のゲート線Ｇ２、Ｇ４、Ｇ６、・・・、ＧＮは、複数のＮチャネル型ＭＯＳトランジスタＭＴ１−ＭＴｎのうちの偶数番目のＮチャネル型ＭＯＳトランジスタＭＴ２、ＭＴ４、ＭＴ６、・・・、ＭＴｎのゲートにそれぞれ接続される。偶数番目のＮチャネル型ＭＯＳトランジスタＭＴ２、ＭＴ４、ＭＴ６、・・・、ＭＴｎのドレインは配線Ｌ１２に接続される。配線Ｌ１２は抵抗素子Ｒ２を介して電源電位ＶＤＤに接続されて、第２のワイヤードＯＲ回路ＯＲ２（または、第２ＯＲ回路ＯＲ２）の出力Ｂを構成している。
【００３８】
検出部ＦＤＵ１は、カウンタ回路ＣＯＵを有し、カウンタ回路ＣＯＵは、第１ＯＲ回路ＯＲ１の出力Ａと、第２ＯＲ回路ＯＲ２の出力Ｂと、を入力される。
【００３９】
カウンタ回路ＣＯＵは、第１ＯＲ回路ＯＲ１の出力Ａを入力される第１カウンタ回路ＣＯＵ１と、第２ＯＲ回路ＯＲ２の出力Ｂを入力される第２カウンタ回路ＣＯＵ２と、を含む。第１カウンタ回路ＣＯＵ１および第２カウンタ回路ＣＯＵ２は、図３と同様に、フレーム同期信号ＦＬＭのハイレベルからロウレベルへの遷移に応答して、カウント値Ｃおよびカウント値Ｄがゼロへリセットされる。第１カウンタ回路ＣＯＵ１は、奇数番目のゲート線Ｇ１、Ｇ３、Ｇ５、・・・、ＧＮ−１のおのおののオン電圧からオフ電圧への遷移の回数をカウントする。第２カウンタ回路ＣＯＵ２は、偶数番目のゲート線Ｇ２、Ｇ４、Ｇ６、・・・、ＧＮのおのおののオン電圧からオフ電圧への遷移の回数をカウントする。
【００４０】
検出部ＦＤＵ１は、また、第１カウンタ回路ＣＯＵ１のカウント値Ｃが入力される第１比較回路ＣＯＭＰ１と、第２カウンタ回路ＣＯＵ２のカウント値Ｄが入力される第２比較回路ＣＯＭＰ２と、を含む。
【００４１】
第１比較回路ＣＯＭＰ１は、複数のゲート線Ｇ（Ｇ１、Ｇ２、Ｇ３、・・・、ＧＮ）の本数（Ｎ）の半分（Ｎ／２）と、第１カウンタ回路ＣＯＵ１のカウント値Ｃとを比較する監視回路である。第１比較回路ＣＯＭＰ１は、第１カウンタ回路ＣＯＵ１のカウント回数Ｃがゲート線Ｇの本数（Ｎ）の半分（Ｎ／２）と一致する場合、正常と判断する。一方、カウント回数Ｃが複数のゲート線Ｇの本数（Ｎ）の半分（Ｎ／２）と一致しない場合、異常と判断し、異常を示す比較結果Ｅを出力する。
【００４２】
第２比較回路ＣＯＭＰ２は、複数のゲート線Ｇ（Ｇ１、Ｇ２、Ｇ３、・・・、ＧＮ）の本数（Ｎ）の半分（Ｎ／２）と、第２カウンタ回路ＣＯＵ２のカウント値Ｄとを、比較する比較する監視回路である。第２比較回路ＣＯＭＰ２は、第２カウンタ回路ＣＯＵ２のカウント回数Ｄがゲート線Ｇの本数（Ｎ）の半分（Ｎ／２）と一致する場合、正常と判断する。一方、カウント回数Ｄが複数のゲート線Ｇの本数（Ｎ）の半分（Ｎ／２）と一致しない場合、異常と判断し、異常を示す比較結果Ｆを出力する。
【００４３】
例えば、ゲート線Ｇの本数を５００（Ｎ＝５００）とした場合、第１カウンタ回路ＣＯＵ１のカウント回数Ｃおよび第２カウンタ回路ＣＯＵ２のカウント回数Ｄは、２５０（Ｃ＝２５０，Ｄ＝２５０）である。
【００４４】
検出部ＦＤＵ１は、また、第１比較回路ＣＯＭＰ１の比較結果Ｅと、第２比較回路ＣＯＭＰ２の比較結果Ｆとが入力される第３ＯＲ回路ＯＲ３を含む。第３ＯＲ回路ＯＲ３は、比較結果Ｅまたは比較結果Ｆの入力に従って、異常を検出したことを示す出力信号ＯＵＴを出力する。
【００４５】
図４において、配線Ｌ１１や配線Ｌ１２に接続されるＮチャネル型ＭＯＳトランジスタの数は、図３に示される配線Ｌ１に接続されるＮチャネル型ＭＯＳトランジスタの数より、少ない。したがって、配線Ｌ１１や配線Ｌ１２の負荷容量は、配線Ｌ１のそれに比べて、小さいので、配線Ｌ１、配線Ｌ１１、配線Ｌ１２に接続される各Ｎチャネル型ＭＯＳトランジスタの駆動能力が同じとした場合、配線Ｌ１１や配線Ｌ１２の信号レベルの遷移の速度は、配線Ｌ１のそれと比べて、速くなる。一方、配線Ｌ１の信号レベルの遷移の速度と、配線Ｌ１１や配線Ｌ１２の信号レベルの遷移の速度を同じとした場合、配線Ｌ１１や配線Ｌ１２に接続される各Ｎチャネル型ＭＯＳトランジスタの駆動能力は、配線Ｌ１に接続される各Ｎチャネル型ＭＯＳトランジスタのそれより、小さくできる。そのため、配線Ｌ１１や配線Ｌ１２に接続される各Ｎチャネル型ＭＯＳトランジスタのサイズを小さくできるので、各Ｎチャネル型ＭＯＳトランジスタのレイアウト面積を低減することができる。
【００４６】
図５は、図４の表示装置ＤＳＰの通常時の動作を説明するタイミング図である。
【００４７】
時刻ｔ０において、フレーム同期信号ＦＬＭがハイレベルとなり、第１および第２カウンタＣＯＵ１，ＣＯＵ２のカウント値Ｃ、Ｄがゼロに初期化される。その後、フレーム同期信号ＦＬＭがハイレベルからロウレベルへ遷移する。
【００４８】
時刻ｔ１にゲート線Ｇ１がハイレベルとなり、その後、ロウレベルとなるので、第１ＯＲ回路ＯＲ１の出力Ａは、ハイレベルのプリチャージレベルからロウレベルとなりその後ハイレベルとなる。したがって、第１カウント回路ＣＯＵ１のカウント値Ｃは、１となる。一方、ゲート線Ｇ１がロウレベルとなると、ゲート線Ｇ２がハイレベルとなり、その後、時刻ｔ２でロウレベルへ遷移する。ゲート線Ｇ２がハイレベルからロウレベルへ遷移にするので、第２ＯＲ回路ＯＲ２の出力Ｂは、ハイレベルのプリチャージレベルからロウレベルとなりその後ハイレベルとなる。したがって、第２カウント回路ＣＯＵ２のカウント値Ｄは、１となる。
【００４９】
時刻ｔ２から時刻ｔｎにおいて、上記と同様に、順次、ゲート線Ｇ３、Ｇ４、・・・、ＧＮが走査されて、第１カウンタ回路ＣＯＵ１のカウント値ＣがＮ／２、第２カウンタ回路ＣＯＵ２のカウント値ＣがＮ／２となる。時刻ｔｎにおいて、第１および第２比較回路ＣＯＭＰ１、ＣＯＭＰ２は、カウント値Ｃおよびカウント値Ｄは共に、Ｎ／２であるため、正常と判断し、第１および第２比較回路ＣＯＭＰ１、ＣＯＭＰ２の比較結果Ｅ、Ｆは共にロウレベル（ｌｏｗ）を維持し、第３ＯＲ回路ＯＲ３の検出結果ＯＵＴも、正常を示すロウレベル（ｌｏｗ）を維持する。
【００５０】
時刻ｔｎ＋１において、フレーム同期信号ＦＬＭがハイレベルとなり、第１および第２カウンタＣＯＵ１、ＣＯＵ２のカウント値Ｃ、Ｄがゼロに初期化される。その後、フレーム同期信号ＦＬＭがハイレベルからロウレベルへ遷移する。その後、前記同様に、ゲート線Ｇ１、Ｇ２が順次走査されることになる。
【００５１】
図６は、図４の表示装置ＤＳＰの異常時の動作を説明するタイミング図である。図６と図５との違いは、図６において、時刻ｔｎ−３から時刻ｔｎ−２において、第２ＯＲ回路ＯＲ２の出力Ｂがロウレベルを維持している部分である。これは、時刻ｔｎ−３から時刻ｔｎ−２において、本来選択されるべきゲート線がハイレベルの様な選択状態にされなかったことを意味するので、ゲート線の断線やゲートドライバＧＤの故障・機能不全などの正常でない異常な状態や不具合があるものと推測される。この結果、時刻ｔｎにおいて、第２カウンタ回路ＣＯＵ２のカウント値ＤがＮ／２−１の様に、Ｎ／２より小さな値となる。これにより、時刻ｔｎ＋１と時刻ｔｎ＋２の間において、第２比較回路ＣＯＭＰ２の比較結果Ｆがロウレベルからハイレベルへ遷移し、第３ＯＲ回路ＯＲ３の検出結果ＯＵＴも、ロウレベルから、異常を示すハイレベルへ遷移する。
【００５２】
このように、ゲート線の断線やゲートドライバＧＤの故障・機能不全などの正常でない異常な状態や不具合が検出回路ＦＤＵ１により検出することが出来る。
【００５３】
図７は、実施の形態に係る表示装置ＤＳＰを含む表示システムの構成を概略的に示す図である。図７（Ａ）は表示装置ＤＳＰを含む表示システムＳＹＳの構成を概略的に示す図であり、図７（Ｂ）はホストプロセッサＨＯＳＴの動作を説明する図である。
【００５４】
図７（Ａ）に示されるように、表示システムＳＹＳは、ホストプロセッサＨＯＳＴと表示装置ＤＳＰとを含む。ホストプロセッサＨＯＳＴは、表示装置ＤＳＰに対して、電源電位ＶＤＤ、ＶＳＳ等の電源ＰＳの供給制御および表示データＤＤの供給制御を行うことが可能である。表示装置ＤＳＰは、図１、図３、図４に示される様に、検出部ＦＤＵ(またはＦＵＤ１）を有する。検出部ＦＤＵ(またはＦＵＤ１）からの異常を検出したことを示す出力信号ＯＵＴは、ホストプロセッサＨＯＳＴへ供給される。
【００５５】
出力信号ＯＵＴを受領したホストプロセッサＨＯＳＴは、図７（Ｂ）に示されるように、１回目の異常検出を受けると、表示装置ＤＳＰへの電源ＰＳおよび表示データＤＤの供給を、一旦、遮断および停止する。所定時間経過後、ホストプロセッサＨＯＳＴは、再度、電源ＰＳおよび表示データＤＤの供給を開始するが、２回目の異常検出を受けると、異常状態が再発したと判断し、表示装置ＤＳＰへの電源ＰＳおよび表示データＤＤの供給を、遮断および停止などの故障処置を行う。
【００５６】
図８は、図７の表示システムにおける判断フローを説明する図である。図８において、ステップＳ２の異常検出は、ホストプロセッサＨＯＳＴが検出部ＦＤＵ（またはＦＵＤ１）からの異常を検出したことを示す出力信号ＯＵＴを受信したか否かである。
【００５７】
ステップＳ１において、表示装置ＤＳＰは、フレーム毎に異常検出の動作を実施する。
【００５８】
ステップＳ２において、表示装置ＤＳＰは、フレーム毎に異常が検出されたか否かを判断する。異常が検出されない場合（Ｎｏ）は、ステップＳ１へ戻って、再度、フレーム毎に異常検出の動作が実施される。一方、異常が検出された場合（Ｙｅｓ）、ホストプロセッサＨＯＳＴは、異常検出の回数が所定回数（図７の場合およびこの例では、２回）に達したか否かを判断する。所定回数に達していない場合（Ｎｏ）、ステップＳ４へ移行する。所定回数に達した場合（Ｙｅｓ）、ステップＳ６へ移行する。
【００５９】
ステップＳ４では、ホストプロセッサＨＯＳＴは、表示装置ＤＳＰへの電源ＳＰの供給を遮断し、また、表示装置ＤＳＰへの表示データＤＤの供給を停止して、スッテプ５へ移行する。
【００６０】
ステップ５では、ホストプロセッサＨＯＳＴは、所定時間の経過の後、表示装置ＤＳＰへの電源ＳＰの供給を開始し、また、表示装置ＤＳＰへの表示データＤＤの供給を開始する。その後、ステップＳ１へ遷移し、表示装置ＤＳＰでは、フレーム毎に異常検出の動作が実施されることになる。
【００６１】
ステップＳ６において、異常検出の回数が所定回数（２回）に達した為、ホストプロセッサＨＯＳＴは、表示装置ＤＳＰの異常が再発したと判断し、故障処置を実施する。この故障処置は、アラーム信号の発生、表示装置ＤＳＰへの電源ＳＰの常時遮断、車載表示パネルに設けられた警告灯の点灯表示、または、自動車の内部に設けられた不揮発メモリへの故障情報の格納等のすくなくとも1つの処理を行う。
【００６２】
なお、所定回数は、２回に限定されるわけではなく、３回や４回でもよい。ただし、あまり回数を多くすると、異常発生に対する故障処置の実施が遅れてしまうので、注意する必要がある。
【００６３】
図９は、実施の形態に係る表示装置ＤＳＰの要部の構成のさらに他の一例を示す図である。図９に示される表示装置ＤＳＰは、図４に示された表示装置ＤＳＰの変形例であり、検出部ＦＤＵ１が、故障位置判定機能を有する検出部ＦＤＵ２へ変更されている。また、この変更に伴い、ゲートドライバＧＤが第１ゲートドライバＧＤ１と第２ゲートドライバＧＤ２とに変更されている。他の構成は、図４と同じである。
【００６４】
第１ゲートドライバＧＤ１は、ゲート線Ｇ１−Ｇ６に接続される。第２ゲートドライバＧＤ２は、この例では、ゲート線Ｇ７−ＧＮに接続されている。ただし、第１ゲートドライバＧＤ１および第２ゲートドライバＧＤ２に接続されるゲート線は、これに限定されるわけではなく、変更可能である。
【００６５】
検出部ＦＤＵ２は、故障位置判定機能を有しており、この故障位置判定機能の実現を可能とするため、比較回路ＣＯＭＰ１、ＣＯＭＰ２が削除される代わりに、周波数監視回路ＦＭＯＮ１、ＦＭＯＮ２、および、位置判定回路ＬＤＥＴ１およびＬＤＥＴ２が新たに設けられる。
【００６６】
第１および第２周波数監視回路ＦＭＯＮ１、ＦＭＯＮ２は、例えば、タイミング制御装置ＴＣＯＮから供給されるドットクロックＤｏｔＣＬＫを受けるようにされている。
【００６７】
第１周波数監視回路ＦＭＯＮ１は、第１ＯＲ回路ＯＲ１の出力Ａのロウレベルへの遷移と次のロウレベルへの遷移との間のドットクロックＤｏｔＣＬＫの数を計測するカウンタ回路を含み、出力Ａのロウレベルへの遷移間の周期を監視する。同様、第２周波数監視回路ＦＭＯＮ２は、第２ＯＲ回路ＯＲ２の出力Ｂのロウレベルへの遷移と次のロウレベルへの遷移との間のドットクロックＤｏｔＣＬＫの数を計測するカウンタ回路を含み、出力Ｂのロウレベルへの遷移間の周期を監視する。第１周波数監視回路ＦＭＯＮ１の検出結果Ｉと第２周波数監視回路ＦＭＯＮ２の検出結果Ｊとは、第１周波数監視回路ＦＭＯＮ１と第２周波数監視回路ＦＭＯＮ２のそれぞれのカウンタ回路において、オーバーフローＯＶＦが発生したいか否を示すものである。
【００６８】
第１位置判定回路ＬＤＥＴ１は、第１カウンタ回路ＣＯＵ１の出力Ｃと第１周波数監視回路ＦＭＯＮ１の検出結果Ｉとに従って、異常のあるゲート線の位置を特定する機能を有する。第１位置判定回路ＬＤＥＴ１は、オーバーフローＯＶＦの発生を示す検出結果Ｉの入力に従って、その時点での第１カウンタ回路ＣＯＵ１のカウント値を、第１カウンタ回路ＣＯＵ１の出力Ｃとして取り込むと共に、出力Ｃを検出結果Ｋとしてタイミング制御装置ＴＣＯＮへ出力する。
【００６９】
第２位置判定回路ＬＤＥＴ２は、第２カウンタ回路ＣＯＵ２の出力Ｄと第２周波数監視回路ＦＭＯＮ２の検出結果Ｊとに従って、異常のあるゲート線の位置を特定する機能を有する。
【００７０】
第１位置判定回路ＬＤＥＴ２は、オーバーフローＯＶＦの発生を示す検出結果Ｊの入力に従って、その時点での第２カウンタ回路ＣＯＵ２のカウント値を、第２カウンタ回路ＣＯＵ２の出力Ｄとして取り込むと共に、出力Ｄを検出結果Ｌとしてタイミング制御装置ＴＣＯＮへ出力する。
【００７１】
タイミング制御装置ＴＣＯＮは、検出結果Ｋ、Ｌに従って、第１ゲートドライバＧＤ１と第２ゲートドライバＧＤ２の動作を制御する。すなわち、タイミング制御装置ＴＣＯＮは、検出結果Ｋによって異常を通知された場合、次回のフレーム表示動作において、第１ゲートドライバＧＤ１を用いた表示動作を停止し、第２ゲートドライバＧＤ２のみを利用した表示動作へ移行する。逆に、タイミング制御装置ＴＣＯＮは、検出結果Ｌによって異常を通知された場合、次回のフレーム表示動作において、第２ゲートドライバＧＤ２を用いた表示動作を停止し、第１ゲートドライバＧＤ１のみを利用した表示動作へ移行する。
【００７２】
このように、図９に示される表示装置ＤＳＰにおいて、異常と検出されたゲート線を駆動するゲートドライバ（ＧＤ１）の動作を停止し、それ以外のゲートドライバ（ＧＤ２）を利用した表示動作へ移行することが可能になる。
【００７３】
図１０は、図９の表示装置ＤＳＰの通常時の動作を説明するタイミング図である。図１１は、図９の表示装置ＤＳＰの異常時の動作を説明するタイミング図である。図１０および図１１では、例示的に、第１ＯＲ回路ＯＲ１の出力Ａ、第１カウンタ回路ＣＯＵ１の出力Ｃ、第１周波数監視回路ＦＭＯＮ１の検出結果Ｉ、および、第１位置判定回路ＬＤＥＴ１の検出出力Ｋについて、描かれている。
【００７４】
図１０を参照して、表示装置ＤＳＰの通常時の動作を説明する。
【００７５】
時刻ｔ０において、フレーム同期信号ＦＬＭがハイレベルとなり、第１および第２カウンタＣＯＵ１のカウント値Ｃがゼロに初期化される。その後、フレーム同期信号ＦＬＭがハイレベルからロウレベルへ遷移する。
【００７６】
時刻ｔ１にゲート線Ｇ１がハイレベルとなり、その後、ロウレベルとなるので、第１ＯＲ回路ＯＲ１の出力Ａは、ハイレベルのプリチャージレベルからロウレベルとなりその後ハイレベルとなる。したがって、第１カウント回路ＣＯＵ１のカウント値Ｃは、１となる。
【００７７】
第１周波数監視回路ＦＭＯＮ１は、第１ＯＲ回路ＯＲ１の出力Ａの時刻ｔ１の立ち下がりと、時刻ｔ２の立ち下がりの間の期間において、ドットクロックＤｏｔＣＬＫの数を計数することで、第１ＯＲ回路ＯＲ１の出力Ａの立ち下がりの周期を計測する。第１周波数監視回路ＦＭＯＮ１のカウント値は、第１ＯＲ回路ＯＲ１の出力Ａの時刻ｔ１の立ち下がりにより、ゼロへリセットされると共に、第１周波数監視回路ＦＭＯＮ１は計測動作を開始する。また、第１周波数監視回路ＦＭＯＮ１のカウント値は、第１ＯＲ回路ＯＲ１の出力Ａの時刻ｔ２の立ち下がりにより、ゼロへリセットされると共に、第１周波数監視回路ＦＭＯＮ１は計測動作を開始する。
【００７８】
時刻ｔ２から時刻ｔｎにおいて、同様に、第１ＯＲ回路ＯＲ１の出力Ａはロウレベルとハイレベルとの間を順次遷移するので、第１カウント回路ＣＯＵ１のカウント値Ｃは、２、３、４と順次Ｎ／２まで計測することになる。一方、第１周波数監視回路ＦＭＯＮ１も、時刻ｔ２−時刻ｔ３、時刻ｔ３−時刻ｔ４、時刻ｔ４−時刻ｔ５、時刻ｔ５−時刻ｔ６等のおのおのの期間において、ドットクロックＤｏｔＣＬＫの数を計数している。なお、図１１では、図面の簡素可能ため、代表的に、時刻ｔ１−時刻ｔ２の期間における第１周波数監視回路ＦＭＯＮ１の計測動作のみを描いている。第１周波数監視回路ＦＭＯＮ１の検出結果Ｉは、第１周波数監視回路ＦＭＯＮ１内のカウンタ回路のカウント値がオーバーフローＯＶＦしないため、発生しない。第１位置判定回路ＬＤＥＴ１の検出出力Ｋは、異常がないため、例えば、ロウレベルの様な異常がない旨を示すレベルとされている。
【００７９】
図１１を参照して、図９の表示装置ＤＳＰの異常時の動作を説明する。図１１には、動作中のゲートドライバを示すＯＧＤが記載されている。
【００８０】
図１１では、時刻ｔ３と時刻ｔ４との間の期間において、第１ＯＲ回路ＯＲ１の出力Ａがロウレベルへ遷移せず、ハイレベルを維持した異常な状態を示している。この場合、第１周波数監視回路ＦＭＯＮ１は、時刻ｔ２における出力信号Ａのロウレベルへの立ち上がりに同期して計測動作を開始するが、時刻ｔ３に時点において出力信号Ａのロウレベルへの遷移が無く、ハイレベルを維持するため、時刻ｔ３において、第１周波数監視回路ＦＭＯＮ１内のカウンタ回路のカウント値のゼロへのリセットが行われない。このため、第１周波数監視回路ＦＭＯＮ１のカウント値は、時刻ｔ３を過ぎた時点で、オーバーフローＯＶＦとなる。このため、第１周波数監視回路ＦＭＯＮ１の検出結果ＩはオーバーフローＯＶＦが発生したことを示す値となる。
【００８１】
第１位置判定回路ＬＤＥＴ１は、第１周波数監視回路ＦＭＯＮ１の検出結果Ｉの発生時点の第１カウント回路ＣＯＵ１のカウント値（２）を、第１カウンタ回路ＣＯＵ１の出力Ｃとして取り込むと共に、出力Ｃを検出結果Ｋ（Ｋ＝２）としてタイミング制御装置ＴＣＯＮへ出力する。タイミング制御装置ＴＣＯＮは、検出結果Ｋ（Ｋ＝２）の入力に基づき、ゲート線Ｇ３の断線、または、第１ゲートドライバＧＤ１におけるゲート線Ｇ３の駆動回路の故障と判断し、次回のフレーム表示において第１ゲートドライバＧＤ１の表示動作を停止させる制御を行う。
【００８２】
したがって、動作中のゲートドライバを示すＯＧＤに示されるように、時刻ｔｎ＋１以降の表示動作において、第１ゲートドライバＧＤ１を利用せず、第２ゲートドライバＧＤ２を利用した表示動作が行われる。
【００８３】
なお、図９では、第１ゲートドライバＧＤ１と第２ゲートドライバＧＤ２との２つのゲートドライバを設けた例を示したが、例えば、６本のゲート線毎にゲートドライバを設ける様にしても良い。このように、多くのゲートドライバを設けることにより、異常の検出されたゲート線を含む狭い表示領域のみを非表示とすることで、より多くゲート線を利用した広い表示領域に対する表示動作を行うことが可能な表示装置を提供できる。
【００８４】
また、図９では表示領域ＤＡの分割領域毎（例えば向かって上側と下側）に対応して第１ゲートドライバＧＤ１と第２ゲートドライバＧＤ２を配置しているが、第１ゲートドライバＧＤ１を奇数列、偶数列の一方に対応させ、第２ゲートドライバＧＤ１を奇数列、偶数列の他方に対応させるような構成にしてもよい。このような構成にすることで異常が検出されたゲート線に対応した表示動作を停止させても画面全体を表示させることが可能になる。
【００８５】
また、図９では、第１ゲートドライバＧＤ１と第２ゲートドライバＧＤ２との２つのゲートドライバを設けた例を示したが、故障と判断されたゲート線を駆動する単位駆動回路の選択動作のみを跳び越すような制御機能をゲートドライバに設けることで、１つのゲートドライバで同様な制御を行うことも可能である。
【００８６】
また、図９では、第１周波数監視回路ＦＭＯＮ１や第２周波数監視回路ＦＭＯＮ２は、第１ＯＲ回路ＯＲ１の出力Ａや第２ＯＲ回路ＯＲ２の出力Ｂのロウレベルへの遷移と次のロウレベルへの遷移との間のドットクロックＤｏｔＣＬＫの数を計測するとしたが、出力Ａや出力Ｂのハイレベルへの遷移と次のハイレベルへの遷移との間のドットクロックＤｏｔＣＬＫの数を計測する様に変更しても良い。この場合、第１周波数監視回路ＦＭＯＮ１は、インバータを介して、出力Ａを入力される様に変更し、第２周波数監視回路ＦＭＯＮ２は、インバータを介して、出力Ｂを入力される様に変更すればよい。
【００８７】
図１２は、実施の形態に係る表示装置ＤＳＰの他の構成例を説明する図である。図１２に示される表示装置ＤＳＰは、図４の表示装置ＤＳＰの変形例である。図１２においては、分割された表示領域ＤＡ１、ＤＡ２ごとに、図４に示されるＯＲ回路ＯＲａおよび検出部ＦＤＵ１が設けられている。このように構成することで、異常のある表示領域を特定し、異常のある表示領域を避けて、異常のない表示領域を用いた部分的な表示を行うことが可能になる。
【００８８】
図１２において、表示領域ＤＡが第１表示領域ＤＡ１と第２表示領域ＤＡ２とに分割される。この変更に伴い、第１表示領域ＤＡ１に設けられた第１ゲート線群Ｇ＿１の各ゲート線の一方の端部Ｅ１は第１ゲートドライバＧＤ１に接続され、第２表示領域ＤＡ２に設けられた第２ゲート線群Ｇ＿２の各ゲート線の一方の端部Ｅ１は第２ゲートドライバＧＤ２に接続される。
【００８９】
第１ゲート線群Ｇ＿１に含まれる各ゲート線の他方の端部Ｅ２は第１ＯＲ回路ＯＲａ＿１に接続され、第１ＯＲ回路ＯＲａ＿１は第１検出部ＦＤＵ１＿１に接続される。第２ゲート線群Ｇ＿２に含まれる各ゲート線の他方の端部Ｅ２は第２ＯＲ回路ＯＲａ＿２に接続され、第２ＯＲ回路ＯＲａ＿２は第２検出部ＦＤＵ１＿２に接続される。
【００９０】
第１および第２検出部ＦＤＵ１＿１、ＦＤＵ＿２の出力ＯＵＴ１、ＯＵＴ２は、タイミング制御回路ＴＣＯＮに入力され、タイミング制御回路ＴＣＯＮは第１および第２ゲートドライバＧＤ１、ＧＤ２のおのおのへ制御信号ＣＮ１，ＣＮ２を出力する。
【００９１】
第１および第２ＯＲ回路ＯＲａ＿１、ＯＲａ＿２のおのおのは、図４のＯＲ回路ＯＲａと同一の構成とされており、また、第１および第２検出部ＦＤＵ１＿１、ＦＤＵ＿２のおのおのは図４の検出部ＦＤＵ１と同一の構成とされている。
【００９２】
以上の構成によれば、タイミング制御回路ＴＣＯＮが第１検出部ＦＤＵ１＿１から異常を示す出力ＯＵＴ１を入力された場合、第１ゲートドライバＧＤ１へ動作を停止する旨を示す制御信号ＣＮ１を送付できる。これにより、次フレームの表示動作では、第２ゲートドライバＧＤ２のみを利用した表示動作が可能である。また、タイミング制御回路ＴＣＯＮが第２検出部ＦＤＵ１＿２から異常を示す出力ＯＵＴ２を入力された場合、第２ゲートドライバＧＤ２へ動作を停止する旨を示す制御信号ＣＮ２を送付できる。これにより、次フレームの表示動作では、第１ゲートドライバＧＤ１のみを利用した表示動作が可能である。
【００９３】
図１３は、図１２の表示装置ＤＳＰの通常時の動作を説明するタイミング図である。フレーム同期信号ＦＬＭは、時刻ｔ０と時刻ｔｎ＋１とにおいて、ハイレベルに遷移して、活性化するものとする。また、動作中のゲートドライバを示すＯＧＤは、時刻ｔ０から第１ゲートドライバＧＤ１を用いた表示動作が行われ、時刻ｔｉ＋１から第２ゲートドライバＧＤ２を用いた表示動作が行われ、時刻ｔｎ＋１から第１ゲートドライバＧＤ１を用いた次フレームの表示動作が行われる。図１３では、故障の無い通常の動作を示している為、第１検出部ＦＤＵ１＿１の出力ＯＵＴ１および第２検出部ＦＤＵ１＿２の出力ＯＵＴ２は、共に、故障の無い状態を示すロウレベルとされている。
【００９４】
図１４は、図１２の表示装置ＤＳＰの異常時の動作を説明するタイミング図である。図１３と図１４との違いは、時刻ｔ３において、第１検出部ＦＤＵ１＿１の出力ＯＵＴ１が異常のあることを示す旨のハイレベルへ変化していることである。つまり、第１表示領域ＤＡ１において、ゲート線または第１ゲートドライバＧＤ１に故障のあることが検出されたことを示している。したがって、時刻ｔｎ＋１から始まる次フレームの表示動作において、第１ゲートドライバＧＤ１がタイミング制御回路ＴＣＯＮからの制御信号ＣＮ１により停止状態とされ、第２ゲートドライバＧＤ２を用いた第２表示領域ＤＡ２のみの表示動作へ移行する。
【００９５】
図１２−図１４の構成によれば、タイミング制御回路ＴＣＯＮが第１検出部ＦＤＵ１＿１から異常を示す出力ＯＵＴ１を入力された場合、第１ゲートドライバＧＤ１へ動作を停止する旨を示す制御信号ＣＮ１を送付できる。これにより、次フレームの表示動作では、第２ゲートドライバＧＤ２のみを利用した表示動作が可能である。また、タイミング制御回路ＴＣＯＮが第２検出部ＦＤＵ１＿２から異常を示す出力ＯＵＴ２を入力された場合、第２ゲートドライバＧＤ２へ動作を停止する旨を示す制御信号ＣＮ２を送付できる。これにより、次フレームの表示動作では、第１ゲートドライバＧＤ１のみを利用した表示動作が可能である。
【００９６】
図１５は、実施の形態に係る表示装置ＤＳＰのさらに他の構成例を説明する図である。図１５は、図４の変形例であり、図４のゲートドライバＧＤが、図１５では、表示領域ＤＡの左右に分かれ、左側ゲートドライバＧＤ−Ｌおよび右側ゲートドライバＧＤ−Ｒとして配置されている。左側ゲートドライバＧＤ−Ｌには、奇数番目のゲート線Ｇ１、Ｇ３、・・・、ＧＮ−１の一方の端部Ｅ１が接続されている。一方、右側ゲートドライバＧＤ−Ｒには、偶数番目のゲート線Ｇ２、Ｇ４、・・・、ＧＮの一方の端部Ｅ１が接続されている。
【００９７】
奇数番目のゲート線Ｇ１、Ｇ３、・・・、ＧＮ−１の他方の端部Ｅ２には、第１ＯＲ回路ＯＲ１の入力が接続されている。第１ＯＲ回路ＯＲ１は、図４の第１ＯＲ回路ＯＲ１と同じ構成であるので、説明は省略する。また、偶数番目のゲート線Ｇ２、Ｇ４、・・・、ＧＮの他方の端部Ｅ２は、第２ＯＲ回路ＯＲ２の入力が接続されている。第２ＯＲ回路ＯＲ２は、図４の第２ＯＲ回路ＯＲ２と同じであるので、説明は省略する。
【００９８】
第１ＯＲ回路ＯＲ１の出力Ａは、第１カウンタＣＯＵ１に接続され、第１カウンタＣＯＵ１の出力は、第１比較回路ＣＯＭＰ１に接続される。また、第２ＯＲ回路ＯＲ２の出力Ｂは、第２カウンタＣＯＵ２に接続され、第２カウンタＣＯＵ２の出力は、第２比較回路ＣＯＭＰ２に接続される。第１比較回路ＣＯＭＰ１の出力Ｅおよび第２比較回路ＣＯＭＰ２の出力Ｆは、第３ＯＲ回路ＯＲ３の入力に接続され、第３ＯＲ回路ＯＲ３の出力から出力信号ＯＵＴが出力される。
【００９９】
これにより、左側ゲートドライバＧＤ−Ｌに、第２ＯＲ回路ＯＲ２を集積化した構成とすることが出来る。また、右側ゲートドライバＧＤ−Ｒに、第１ＯＲ回路ＯＲ１を集積化した構成とすることが出来る。つまり、左側ゲートドライバＧＤ−Ｌと第２ＯＲ回路ＯＲ２とを、左側ゲートドライバＧＤＯＲ１と見做すことも可能である。また、右側ゲートドライバＧＤ−Ｒと第１ＯＲ回路ＯＲ１２とを、右側ゲートドライバＧＤＯＲ２と見做すことも可能である。
【０１００】
第１カウンタ回路ＣＯＵ１および第１比較回路ＣＯＭＰ１は、左側ゲートドライバＧＤＯＲ１内に集積化して形成しても良い。また、第２カウンタ回路ＣＯＵ２および第２比較回路ＣＯＭＰ２は、右側ゲートドライバＧＤＯＲ２内に集積化して形成しても良い。第３ＯＲ回路ＯＲ３は、左側ゲートドライバＧＤＯＲ１と右側ゲートドライバＧＤＯＲ２とのいずれか一方に集積化しても良い。また、第１カウンタ回路ＣＯＵ１、第１比較回路ＣＯＭＰ１、第２カウンタ回路ＣＯＵ２、第２比較回路ＣＯＭＰ２および第３ＯＲ回路ＯＲ３は、図２に示される駆動ＩＣチップＩＣの内部、または、制御モジュールＣＭの内部に設けることも可能である。
【０１０１】
また、図１５においても９に示したような故障位置判定機能を有する検出部ＦＤＵ２を用いて故障が発生したゲートに対応するゲート駆動回路および表示動作を停止することができる。
【０１０２】
本発明の実施の形態として上述のとおりＯＲ回路はＮ型ＭＯＳトランジスタで構成しているが、Ｐ型ＭＯＳトランジスタを用いＰ型ＭＯＳトランジスタのソース側を高電位側の電源に接続し、ドレイン側と低電位側の電源の間に抵抗を接続し、ドレインをＯＲ回路の出力とする構成をとることも可能であり、その他のＯＲ回路構成をとることも可能である。
【０１０３】
本発明の実施の形態として上述した表示装置を基にして、当業者が適宜設計変更して実施し得る全ての表示装置も、本発明の要旨を包含する限り、本発明の範囲に属する。例えば、液晶表示装置以外に有機ＥＬ（ＯＬＥＤ）表示装置、およびその他の表示装置も本発明に属する。
【０１０４】
本発明の思想の範疇において、当業者であれば、各種の変更例及び修正例に想到し得るものであり、それら変更例及び修正例についても本発明の範囲に属するものと了解される。例えば、上述の各実施形態に対して、当業者が適宜、構成要素の追加、削除もしくは設計変更を行ったもの、又は、工程の追加、省略若しくは条件変更を行ったものも、本発明の要旨を備えている限り、本発明の範囲に含まれる。
【０１０５】
また、本実施形態において述べた態様によりもたらされる他の作用効果について本明細書記載から明らかなもの、又は当業者において適宜想到し得るものについては、当然に本発明によりもたらされるものと解される。
【０１０６】
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１０７】
ＤＳＰ：表示装置、ＰＮＬ…表示パネル、ＤＡ：表示部、ＮＤＡ：周辺領域、Ｇ：ゲート線、  Ｓ：ソース線、ＧＤ：ゲートドライバ、ＳＤ：ソースドライバ、ＯＲ：ＯＲ回路、ＦＤＵ：検出部、ＣＯＵ：カウンタ回路
【図１】
2019128536.tif 000003
【図２】
2019128536.tif 000004
【図３】
2019128536.tif 000005
【図４】
2019128536.tif 000006
【図５】
2019128536.tif 000007
【図６】
2019128536.tif 000008
【図７】
2019128536.tif 000009
【図８】
2019128536.tif 000010
【図９】
2019128536.tif 000011
【図１０】
2019128536.tif 000012
【図１１】
2019128536.tif 000013
【図１２】
2019128536.tif 000014
【図１３】
2019128536.tif 000015
【図１４】
2019128536.tif 000016
【図１５】
2019128536.tif 000017